(57)【要約】【課題】製造コストの低減とパネルの軽量化を図ることが出来るプラズマディスプレイパネルを提供する。【解決手段】互いに対向する前面ガラス基板１１と背面ガラス基板１２の間に形成される放電空間Ｓがこの一対の基板の間に配置された隔壁１３によって放電セル毎に区画されているプラズマディスプレイパネルにおいて、隔壁１３が、絶縁層１３ｂによって被覆された金属基材１３ａによって形成され、前面ガラス基板１１の表示面の画像の非表示領域ＤＢに対向する部分に、この非表示領域ＤＢに対向する部分を覆う電磁波遮断層１６が設けられている。【選択図】        図３
2005019120.tif 000002
【特許請求の範囲】
【請求項１】
互いに対向する前面基板と背面基板の間に形成される放電空間がこの一対の基板の間に配置された隔壁によって放電セル毎に区画されているプラズマディスプレイパネルにおいて、
前記隔壁が、絶縁層によって被覆された金属基材によって形成され、
前記前面基板側の画像の表示領域の周囲に位置する非表示領域に対向する部分に、この非表示領域に対向する部分を覆う電磁波遮断層が設けられていることを特徴とするプラズマディスプレイパネル。
【請求項２】
前記電磁波遮断層が金属メッシュによって形成されている請求項１に記載のプラズマディスプレイパネル。
【請求項３】
前記電磁波遮断層が金属箔によって形成されている請求項１に記載のプラズマディスプレイパネル。
【請求項４】
前記電磁波遮断層が、前面基板の表示側の面上に形成されている請求項１に記載のプラズマディスプレイパネル。
【請求項５】
前記前面基板の表示側の面上に保護層が形成され、この保護層上に電磁波遮断層が形成されている請求項４に記載のプラズマディスプレイパネル。
【請求項６】
前記前面基板と電磁波遮断層との間に黒色または暗色の光吸収層が形成されている請求項４に記載のプラズマディスプレイパネル。
【請求項７】
前記電磁波遮断層が、アース端子に接続されている請求項１に記載のプラズマディスプレイパネル。
【発明の詳細な説明】
【０００１】
【発明の属する技術分野】
この発明は、プラズマディスプレイパネルの構成に関する。
【０００２】
【従来技術】
図１は、プラズマディスプレイパネル（以下、ＰＤＰという）を装備した従来のディスプレイ装置を示す側断面図である。
【０００３】
この図１において、ディスプレイ装置は、リヤケース１の前側に取り付けられているシャーシ２の前面側（図において上側）に、ＰＤＰ３が粘着シート４によって固定されている。
【０００４】
そして、シャーシ２の前面側周縁部にＰＤＰ３を囲むように取り付けられているフレーム５の前端部に、内フランジ部５Ａが形成されており、この内フランジ部５Ａの前面側にガスケット６を挟んで前面フィルタ（パネル保護板）７が取り付けられていて、金具８によって固定されている。
【０００５】
９は、ディスプレイ装置のフロントケースである。
【０００６】
図２は、上記ディスプレイ装置の前面フィルタ（パネル保護板）７の構成を概略的に示す側面図である。
【０００７】
この図２において、前面フィルタ（パネル保護板）７は、ガラス基板７Ａ上に形成された電磁波遮断層（導電性メッシュ）７Ｂと、この電磁波遮断層７Ｂ上に形成された反射防止層７Ｃと、ガラス基板７Ａの背面側に形成された赤外線吸収・色調補正層７Ｄとによって構成されている（例えば、特許文献１参照）。
【０００８】
【特許文献１】
特開平１１−２１９１２２号公報
【０００９】
【発明が解決しようとする課題】
上記のようなディスプレイ装置においては、ＰＤＰの放電空間内における放電によって電磁波が発生するため、前面フィルタ（パネル保護板）７に電磁波遮断層（導電性メッシュ）７Ｂが積層されることによって、ＰＤＰからディスプレイ装置の表示面側に電磁波が漏れ出るのを防止するようになっている。
【００１０】
しかしながら、従来のＰＤＰを備えたディスプレイ装置においては、上記のようにＰＤＰから発生する電磁波を遮断するために必ず電磁波遮断層が積層された前面フィルタ（パネル保護板）７を設ける必要があり、前面フィルタ（パネル保護板）７が非常に高価なものであるために、ディスプレイ装置の製品価格を上昇させてしまうという問題が発生している。
【００１１】
この発明は、上記のような従来のディスプレイ装置における問題点を解決することを解決課題の一つとしているものである。
【００１２】
【課題を解決するための手段】
この発明（請求項１に記載の発明）によるプラズマディスプレイパネルは、互いに対向する前面基板と背面基板の間に形成される放電空間がこの一対の基板の間に配置された隔壁によって放電セル毎に区画されているプラズマディスプレイパネルにおいて、前記隔壁が、絶縁層によって被覆された金属基材によって形成され、前記前面基板側の画像の表示領域の周囲に位置する非表示領域に対向する部分に、この非表示領域に対向する部分を覆う電磁波遮断層が設けられていることを特徴としている。
【００１３】
【発明の実施の形態】
以下、この発明の最も好適と思われる実施の形態について、図面を参照しながら詳細に説明を行う。
【００１４】
なお、以下に示す実施形態の各例のプラズマディスプレイパネル（以下、ＰＤＰという）は、前面基板側に設けられた行電極対（列電極は前面基板と背面基板のどちらに設けられていても良い）で発生される放電によって背面基板側に形成された蛍光体層が発光する反射型と、背面基板側に設けられた行電極対（列電極は前面基板と背面基板のどちらに設けられていても良い）で発生される放電によって前面基板側に形成された蛍光体層が発光する透過型等のあらゆる型式のＰＤＰについて適用が可能である。
【００１５】
図３は、この発明によるＰＤＰの実施形態における第１の例を示す側断面図である。
【００１６】
この図３において、ＰＤＰ１０は、パネルの表示面を構成する前面ガラス基板１１に所定の間隔を開けて背面ガラス基板１２が平行に対向されており、この前面ガラス基板１１と背面ガラス基板１２の間に形成される放電空間Ｓが、隔壁１３によって、各放電セル毎に区画されている。
【００１７】
そして、前面ガラス基板１１と背面ガラス基板１２の間の放電空間Ｓは、封着層１４によって封止されている。
【００１８】
図５は隔壁１３の形状を示す正面図であり、図６は図５のＷ−Ｗ線における断面図である。
【００１９】
この図５および６において、隔壁１３は、金属基材１３ａによってプレート状に成形されていて、この金属基材１３ａのパネルの表示領域に位置される部分（以下、表示領域部分）１３Ａに、開口部の形状が方形の貫通孔１３Ａａがマトリクス状に並ぶように形成され、この表示領域部分１３Ａの周囲を囲むように形成されたパネルの非表示領域に位置される部分（以下、非表示領域部分）１３Ｂに、多数のダミー貫通孔１３Ｂａが形成されて、その表面が全て絶縁層１３ｂによって被覆されることにより構成されている。
【００２０】
図５中、１３Ｂｂは、隔壁１３の四隅の非表示領域部分１３Ｂにそれぞれ形成された位置合わせ用貫通孔である。
【００２１】
この金属製の隔壁１３は、背面ガラス基板１２上に形成された図示しない誘電体層上に重ね合わされ、各貫通孔１３Ａａが対応する放電セルとそれぞれ一致する位置に位置決めされて固定される。
【００２２】
そして、この後に焼成されて、金属製の隔壁１３が、その絶縁層と誘電体層とが融着されることにより、背面ガラス基板１２上に固定される。
【００２３】
前面ガラス基板１１の表示側の面上には、その全面に、前面保護層１５が形成されている。
【００２４】
この前面保護層１５は、例えば、反射防止層や赤外線吸収層，色調補正層等が積層されることによって形成されている
この前面保護層１５の表示側の面上のパネルの非表示領域ＤＢに対向する部分には、さらに、電磁波遮断層１６が形成されている。
【００２５】
この電磁波遮断層１６は、例えば金属メッシュや金属箔などによって形成され、図４に示されるように、パネルの表示領域ＤＡに対向する部分に方形の窓１６ａが形成されている。
【００２６】
上記ＰＤＰ１０は、放電空間Ｓ内において行電極間および行電極と列電極間で行われる放電によって発生する電磁波は、表示領域ＤＡにおいては、隔壁１３を構成する金属基材１３ａによって吸収されるが、この表示領域ＤＡ以外の非表示領域ＤＢの部分から表示面側に漏れ出ようとする電磁波は、前面ガラス基板１１の表示面の非表示領域ＤＢに対向する位置に形成されている電磁波遮断層１６によって吸収される。
【００２７】
以上のように、上記ＰＤＰは、パネルの表示領域ＤＡにおいて発生する電磁波は金属製の隔壁１３によって吸収されることにより、電磁波遮断層１６は、パネルの非表示領域ＤＢに対向する部分にのみ形成されているので、従来のＰＤＰの前面フィルタの部分の構成が簡略化され、これによって、製造コストの低減やパネルの軽量化を達成することが出来るようになる。
【００２８】
なお、上記の例において、電磁波遮断層１６をＰＤＰのシャーシなどのアース端子に接続して、電磁波遮断層１６の電位をＧＮＤに設定するようにしておくことにより、電磁波の吸収効果をさらに高めることが出来る。
【００２９】
図７は、この発明によるＰＤＰの実施形態における第２の例を示す側断面図である。
【００３０】
この図７において、ＰＤＰ２０は、パネルの表示面を構成する前面ガラス基板１１に所定の間隔を開けて背面ガラス基板１２が平行に対向されており、この前面ガラス基板１１と背面ガラス基板１２の間に形成される放電空間Ｓが、前述した図５および６の構成を有する隔壁１３によって、各放電セル毎に区画されている。
【００３１】
そして、前面ガラス基板１１と背面ガラス基板１２の間の放電空間Ｓは、封着層１４によって封止されている。
【００３２】
以上の構成は、前述した第１の例のＰＤＰ１０とほぼ同様である。
【００３３】
前面ガラス基板１１の表示側の面上のパネルの非表示領域ＤＢに対向する部分には、黒色または暗色の光吸収層２１が形成されている。
【００３４】
そしてさらに、この光吸収層２１上に、電磁波遮断層２６が形成されている。
【００３５】
この電磁波遮断層２６は、例えば金属メッシュや金属箔などによって形成され、図８に示されるように、パネルの表示領域ＤＡに対向する部分に方形の窓２６ａが形成されている。
【００３６】
上記ＰＤＰ２０は、放電空間Ｓ内において行電極間および行電極と列電極間で行われる放電によって発生する電磁波は、表示領域ＤＡでは、隔壁１３を構成する金属基材１３ａによって吸収されるが、この表示領域ＤＡ以外の非表示領域ＤＢの部分から表示面側に漏れ出ようとする電磁波は、前面ガラス基板１１の表示面の非表示領域ＤＢに対向する位置に形成されている電磁波遮断層２６によって吸収される。
【００３７】
以上のように、上記ＰＤＰは、パネルの表示領域ＤＡにおいて発生する電磁波は金属製の隔壁１３によって吸収され、電磁波遮断層２６は、パネルの非表示領域ＤＢに対向する部分にのみ形成されているので、従来のＰＤＰの前面フィルタ部分の構成が簡略化され、これによって、製造コストの低減やパネルの軽量化を達成することが出来るようになる。
【００３８】
なお、上記の例において、電磁波遮断層２６をＰＤＰのシャーシなどのアース端子に接続して、電磁波遮断層２６の電位をＧＮＤに設定するようにしておくことにより、電磁波の吸収効果をさらに高めることが出来る。
【００３９】
上記各例のＰＤＰは、互いに対向する前面基板と背面基板の間に形成される放電空間がこの一対の基板の間に配置された隔壁によって放電セル毎に区画されているＰＤＰにおいて、前記隔壁が、絶縁層によって被覆された金属基材によって形成され、前記前面基板側の画像の表示領域の周囲に位置する非表示領域に対向する部分に、この非表示領域に対向する部分を覆う電磁波遮断層が設けられているＰＤＰの実施形態を、その上位概念の実施形態としている。
【００４０】
この上位概念を構成するＰＤＰは、前面基板と背面基板の間の放電空間内での放電によって発生する電磁波は、パネルの表示領域部分においては、隔壁を構成する金属基材によって吸収され、この表示領域以外のパネルの非表示領域の部分から表示面側に漏れ出ようとする電磁波は、前面基板側の非表示領域に対向する位置に形成された電磁波遮断層によって吸収される。
【００４１】
以上のように、上記ＰＤＰによれば、電磁波遮断層がパネルの非表示領域に対向する部分にのみ形成されているので、従来のＰＤＰの前面フィルタ部分の構成が簡略化され、これによって、製造コストの低減やパネルの軽量化を達成することが出来るようになる。
【図面の簡単な説明】
【図１】従来のディスプレイ装置の構成を示す側断面図である。
【図２】従来のＰＤＰの前面フィルタの構成を示す側面図である。
【図３】この発明によるＰＤＰの第１の例を示す側断面図である。
【図４】同例の電磁波遮断層の形状を示す正面図である。
【図５】同例における隔壁を示す正面図である。
【図６】図５のＷ−Ｗ線における断面図である。
【図７】この発明によるＰＤＰの第２の例を示す側断面図である。
【図８】同例における隔壁を示す正面図である。
【符号の説明】
１０，２０      …プラズマディスプレイパネル
１１            …前面ガラス基板（前面基板）
１２            …背面ガラス基板（背面基板）
１３            …隔壁
１３ａ          …金属基材
１３ｂ          …絶縁層
１５            …前面保護層
１６，２６      …電磁波遮断層
１６ａ，２６ａ  …窓
２１            …光吸収層
ＤＡ            …表示領域
ＤＢ            …非表示領域
Ｓ              …放電空間
【図１】
2005019120.tif 000003
【図２】
2005019120.tif 000004
【図３】
2005019120.tif 000005
【図４】
2005019120.tif 000006
【図５】
2005019120.tif 000007
【図６】
2005019120.tif 000008
【図７】
2005019120.tif 000009
【図８】
2005019120.tif 000010